(57)【特許請求の範囲】
【請求項１】
内容物を内部に封入した包装体本体の少なくとも一部が、
二つ折り状態に折り曲げ可能な折曲げ部を有する平坦部材で構成され、
前記折曲げ部に設定された開封領域内に、
前記平坦部材の厚み方向に貫通しており、前記折曲げ部の折り曲げにより開口される切り込みが形成され、
前記平坦部材における前記包装体本体の外部と対応する外面に、
前記開封領域に対応する大きさに形成されて前記切り込みを封止し、前記切り込みの貫通で破断又は剥離する、前記平坦部材よりも薄い箔製の封止材が該切り込みを覆うように貼着され、
前記平坦部材における少なくとも前記封止材の上面に、
前記封止材を保護し、前記切り込みの貫通で破断又は剥離する、前記平坦部材よりも薄い封止材保護部が該封止材を覆うように形成された
折曲げ開封包装体。
【請求項２】
前記封止材保護部が、
前記封止材の上面を覆うように形成された
請求項１に記載の折曲げ開封包装体。
【請求項３】
前記封止材保護部が、
前記封止材を含む前記平坦部材の上面を覆うように形成された
請求項１に記載の折曲げ開封包装体。
【請求項４】
前記封止材保護部が、
前記封止材と略同等の肉厚に形成された保護フィルム、あるいは、保護層で構成された
請求項１〜３のいずれか一つに記載の折曲げ開封包装体。
【請求項５】
前記平坦部材に形成された前記切り込みが、
前記折曲げ部の折曲げ方向と対応する方向に対して所定間隔を隔てて配置され、
前記各部材における少なくとも前記開封領域内の対向面同士が、該対向面間に介在した接着層により剥離可能に貼着された
請求項１〜４のいずれか一つに記載の折曲げ開封包装体。
【請求項６】
前記平坦部材における幅方向の両端部と、前記切り込みにおける幅方向の両端部との間に、該平坦部材の折り曲げを補助する折り曲げ罫線を付設した
請求項５に記載の折曲げ開封包装体。
【請求項７】
内容物を内部に封入した包装体本体の一部を、該包装体本体を二つ折り状態に折り曲げて開封する折曲げ開封包装体の開封構造であって、
前記包装体本体の少なくとも一部が、
二つ折り状態に折り曲げ可能な折曲げ部を有する平坦部材で構成され、
前記折曲げ部に設定された開封領域内に、
前記平坦部材の厚み方向に貫通しており、前記折曲げ部の折り曲げにより開口される切り込みが形成され、
前記平坦部材における前記包装体本体の外部と対応する外面に、
前記開封領域に対応する大きさに形成されて前記切り込みを封止し、前記切り込みの貫通で破断又は剥離する、前記平坦部材よりも薄い箔製の封止材が該切り込みを覆うように貼着され、
前記平坦部材における少なくとも前記封止材の上面に、
前記封止材を保護し、前記切り込みの貫通で破断又は剥離する、前記平坦部材よりも薄い封止材保護部が該封止材を覆うように形成された
折曲げ開封包装体の開封構造。
【請求項８】
前記封止材保護部が、
前記封止材の上面を覆うように形成された
請求項７に記載の折曲げ開封包装体の開封構造。
【請求項９】
前記封止材保護部が、
前記封止材を含む前記平坦部材の上面を覆うように形成された
請求項７に記載の折曲げ開封包装体の開封構造。
【請求項１０】
前記封止材保護部が、
前記封止材と略同等の肉厚に形成された保護フィルム、あるいは、保護層で構成された
請求項７〜９のいずれか一つに記載の折曲げ開封包装体の開封構造。
【請求項１１】
前記平坦部材に形成された前記切り込みが、
前記折曲げ部の折曲げ方向と対応する方向に対して所定間隔を隔てて配置され、
前記各部材における少なくとも前記開封領域内の対向面同士が、該対向面間に介在した接着層により剥離可能に貼着された
請求項７〜１０のいずれか一つに記載の折曲げ開封包装体の開封構造。
【請求項１２】
前記平坦部材における幅方向の両端部と、前記切り込みにおける幅方向の両端部との間に、該平坦部材の折り曲げを補助する折り曲げ罫線を付設した
請求項１１に記載の折曲げ開封包装体の開封構造。
【発明の詳細な説明】
【技術分野】
【０００１】
この発明は、例えば食品、医薬品、化粧品等々において、液状、ペースト状、粉末状、顆粒状、錠剤状等の内容物を個包装する折曲げ開封包装体に関し、さらに詳しくは、包装体本体に封入された内容物をスムースに取り出すことができる折曲げ開封包装体、及び折曲げ開封包装体の開封構造に関する。
【背景技術】
【０００２】
現在まで、上述のような内容物を必要な量だけ包装し、その内容物を必要に応じて取り出すことができる包装体としては、様々なものが多数提案されており、特許文献１に開示の液体用容器も、このような包装体の一つである。  
特許文献１の液体用容器は、直線状の易破断部が設けられた易破断シートを、液体用容器本体の開口側周縁部に対して覆うように貼着し、易破断シールを易破断シートの易破断部を、易破断シートに設けられた帯状の易破断部を、被覆するように貼付したものである。
【０００３】
上述した液体用容器の内部から液体を放出する場合、液体用容器本体を変形させて張られた易破断シート、易破断シートに設けられた直線状の易破断部を破断するとともに、易破断シールに設けられた易破断部を破断する。これにより、液体用容器の内部から液体を放出する。
【０００４】
しかし、多数の液体用容器を運搬、あるいは、輸送する際に、液体用容器における昜破断シートに貼着された昜破断シールに、他の液体用容器が接触するか、擦れ合う、あるいは、当接することを防止することができない。さらに昜破断シートに貼着された昜破断シールの易破断部が外部に露出しているため、液体用容器を折り曲げて、易破断シート、及び易破断シールに形成された易破断部を破断するまえに、易破断シールに形成された易破断部のミシン目状脆弱部が破断されやすく、昜破断シールにより封止された状態を保つことが困難である。
【先行技術文献】
【特許文献】
【０００５】
【特許文献１】実願２０１３−１５０３号公報
【発明の概要】
【発明が解決しようとする課題】
【０００６】
この発明は、折曲げ部を所定の折曲げ角度以下に折り曲げるまえに、封止材による封止が解除されることを防止することができる折曲げ開封包装体、及び折曲げ開封包装体の開封構造を提供することを目的とする。
【課題を解決するための手段】
【０００７】
この発明は、内容物を内部に封入した包装体本体の少なくとも一部が、二つ折り状態に折り曲げ可能な折曲げ部を有する平坦部材で構成され、前記折曲げ部に設定された開封領域内に、前記平坦部材の厚み方向に貫通しており、前記折曲げ部の折り曲げにより開口される切り込みが形成され、前記平坦部材における前記包装体本体の外部と対応する外面に、前記開封領域に対応する大きさに形成されて前記切り込みを封止し、前記切り込みの貫通で破断又は剥離する、前記平坦部材よりも薄い箔製の封止材が該切り込みを覆うように貼着され、前記平坦部材における少なくとも前記封止材の上面に、前記封止材を保護し、前記切り込みの貫通で破断又は剥離する、前記平坦部材よりも薄い封止材保護部が該封止材を覆うように形成された折曲げ開封包装体であることを特徴とする。
【０００８】
またこの発明は、内容物を内部に封入した包装体本体の一部を、該包装体本体を二つ折り状態に折り曲げて開封する折曲げ開封包装体の開封構造であって、前記包装体本体の少なくとも一部が、二つ折り状態に折り曲げ可能な折曲げ部を有する平坦部材で構成され、前記折曲げ部に設定された開封領域内に、前記平坦部材の厚み方向に貫通しており、前記折曲げ部の折り曲げにより開口される切り込みが形成され、前記平坦部材における前記包装体本体の外部と対応する外面に、前記開封領域に対応する大きさに形成されて前記切り込みを封止し、前記切り込みの貫通で破断又は剥離する、前記平坦部材よりも薄い箔製の封止材が該切り込みを覆うように貼着され、前記平坦部材における少なくとも前記封止材の上面に、前記封止材を保護し、前記切り込みの貫通で破断又は剥離する、前記平坦部材よりも薄い封止材保護部が該封止材を覆うように形成された折曲げ開封包装体の開封構造であることを特徴とする。
【０００９】
この発明によれば、折曲げ部を所定の折曲げ角度以下に折り曲げるまえに、封止材による封止が解除されることを防止することができる。  
詳しくは、折曲げ開封包装体における折曲げ部を所定の折曲げ角度以下に折り曲げて、折曲げ部に形成された切り込みを覆う封止材の封止を解除（例えば破断、又は剥離）するとともに、封止材を覆うように形成された封止材保護部を剥離するため、包装体本体内に封入された内容物を、封止解除された切り込みから取り出して使用することができる。
【００１０】
封止材により切り込みを封止した状態において、切り込みを封止する封止材を封止材保護部で覆っているため、例えば輸送中や運搬中において、折曲げ開封包装体における封止材保護部で覆われた封止材に、他の折曲げ開封包装体が接触するか、擦れ合う、あるいは、当接することを防止することができる。
【００１１】
これにより、封止材が剥離したり、捲れたりすることを確実に防止することができるとともに、折曲げ部を折り曲げて、封止材による封止を解除する封止解除直前まで、封止材により封止された状態を保つことができる。  
この結果、折曲げ部を折り曲げて、封止材による封止を解除するまえに、包装体本体内に封入された内容物が漏洩することを防止することができる。
【００１２】
しかも、封止材、及び封止材保護部のうち一方が、破断、又は剥離しても、他方にて封止された状態を保つことができるため、封止材、及び封止材保護部の両方による封止が解除されるまで、封止された状態を保つことができる。
【００１３】
上記折曲げ開封包装体は、例えば容量が小さい包装体、あるいは、容量が大きい袋状の包装体等で構成することができる。内容物は、例えば液状、ペースト状、粉末状、顆粒状、錠剤状等の内容物で構成することができる。平坦部材は、例えばシート部材やフィルム部材などで構成することができる。切り込みは、厚み方向から見て、例えば直線形状、弧形状、波形状、二山形状、Ｍ字形状、Ｖ字形状等に形成することができる。
【００１４】
少なくとも一部とは、例えば包装体本体における折曲げ部、あるいは包装体本体における折曲げ部を形成した部分全体を含む概念である。折曲げ方向と対応する方向は、例えば平面視略矩形に形成された包装体本体の長手方向、あるいは平坦部材の長手方向を含む概念である。切り込みは、例えば二つ折り状態に折り曲げた際に厚み方向に貫通する切り込み、あるいは、破断して厚み方向に貫通する切り込みを含む概念である。
【００１５】
平坦部材は、例えばアモルファスポリエチレンテレフタレート（Ａ−ＰＥＴ）、ポリプロピレン（ＰＰ）、二軸延伸ポリエステル（ＯＰＥＴ）、生分解性プラスチック（ＰＬＡ）、ポリカーボネート（ＰＣ）、ポリエチレン（ＰＥ）、ポリスチレン（ＰＳ）、あるいは、厚紙、金属シート等の単体材料、あるいは複合材料で形成したシート部材で構成することができる。
【００１６】
また、例えば二軸延伸ポリエステル（ＯＰＥＴ）、二軸延伸ポリプロピレン（ＯＰＰ）、ポリエチレン（ＰＥ）、セルロース・プロピオネート（ＣＰ）、あるいは金属（アルミニウム）等の単体材料、あるいは複合材料で形成したフィルム部材で構成することができる。  
なお、平坦部材の材質、肉厚は、例えば内容物の種類、あるいは包装体本体の内部形状に応じて変更することができる。
【００１７】
封止材は、例えばアルミニウム箔、ステンレス箔、銅箔、鉄箔、樹脂フィルム等の肉厚が薄い箔体で構成することができる。箔体の一例として、肉厚５μ〜３５μのアルミニウム箔を封止材として用いた場合、透湿性、ガス透過性、折曲げ開封性の良好な折曲げ開封包装体を得ることができる。ここで、ガス透過性とは、例えば酸素、水分、腐食性ガス等の透過を抑制するガスバリア性のことをいう。
【００１８】
また、アルミニウム箔に代わる透湿性、ガス透過性の良い他の材質として、例えばポリ塩化ビニリデン製のフィルムや、他の合成樹脂と複合した複合材、アルミ蒸着したガス透過性の良いフィルム等々、内容物の特性や物性に応じた材質で構成してもよく、引き裂き強度の弱い材質のものが望ましい。
【００１９】
封止材保護部は、例えば保護フィルムや保護層等で構成することができる。封止材保護部の肉厚は、封止材の肉厚と略同等に形成することができるが、折り曲げにより破断、剥離することが可能であれば、封止材の肉厚より薄くするか、厚くする等してもよい。
【００２０】
この発明の態様として、前記封止材保護部が、前記封止材の上面を覆うように形成されている。  
この発明によれば、折曲げ部を二つ折り状態に折り曲げるまえに、封止材による封止が解除されることを確実に防止することができる。
【００２１】
詳しくは、切り込みを封止する封止材の上面を封止材保護部で覆っているため、折曲げ開封包装体における封止材保護部で覆われた封止材に、他の折曲げ開封包装体が接触するか、擦れ合う、あるいは、当接することを確実に防止することができる。
【００２２】
これにより、例えば輸送中や運搬中において、封止材が剥離したり、捲れたりすることを確実に防止することができるとともに、折曲げ部を折り曲げて、封止材による封止を解除するまえに、包装体本体内に封入された内容物が漏洩することを防止することができる。  
この結果、折曲げ部を折り曲げて、封止材による封止を解除する直前まで、封止材により封止された状態を確実に保つことができる。
【００２３】
またこの発明の態様として、前記封止材保護部が、前記封止材を含む前記平坦部材の上面を覆うように形成することができる。  
この発明によれば、折曲げ部を二つ折り状態に折り曲げるまえに、封止材による封止が解除されることをより確実に防止することができる。
【００２４】
詳しくは、封止材を含む平坦部材の上面を封止材保護部で覆っているため、折曲げ開封包装体における封止材保護部で覆われた封止材に、他の折曲げ開封包装体が接触するか、擦れ合う、あるいは、当接することをより確実に防止することができる。
【００２５】
これにより、例えば輸送中や運搬中において、封止材が剥離したり、捲れたりすることをより確実に防止することができるとともに、折曲げ部を折り曲げて、封止材による封止を解除するまえに、包装体本体内に封入された内容物が漏洩することをより確実に防止することができる。  
この結果、折曲げ部を折り曲げて、封止材による封止を解除する直前まで、封止材により封止された状態をより確実に保つことができる。
【００２６】
またこの発明の態様として、前記封止材保護部が、前記封止材と略同等の肉厚に形成された保護フィルム、あるいは、保護層で構成されている。  
上記保護フィルムは、例えば再剥離可能な粘着力を有するシリコーン系の離型剤からなる離型剤層と、離型剤層が貼着面側に形成された合成樹脂製の基材フィルム等で構成することができる。保護層は、例えば透明な合成樹脂やシリコーン系の離型剤を塗布、コーティング、蒸着、吹き付けるか、あるいは、箔状の離型剤を貼着する等して構成することができる。
【００２７】
この発明によれば、折曲げ部の切り込みをより確実に封止することができる。  
詳しくは、保護フィルム、あるいは、保護層を、例えばアルミニウム箔製の封止材と略同等の肉厚に形成することにより、封止材の上面を覆うように密着させた状態に形成することができる。
【００２８】
しかも、折曲げ部を折り曲げて、封止材による封止を解除する際に、封止材を覆う保護フィルム、あるいは、保護層を封止材と一緒に剥離することができるため、包装体本体内に封入された内容物を、封止解除された切り込みから即取り出して使用することができる。
【００２９】
さらに、保護フィルムは、封止材の上面や封止材を含む平坦部材の上面に対して容易に貼り合わせることができる。また、封止層は、封止材の上面に対して薄い膜状に形成することができるため、封止材の上面が滑らかでなくても、封止材の上面、あるいは、封止材を含む平坦部材の上面に対して密着させた状態に形成することができる。
【００３０】
またこの発明の態様として、前記平坦部材に形成された前記切り込みが、前記折曲げ部の折曲げ方向と対応する方向に対して所定間隔を隔てて配置され、前記各部材における少なくとも前記開封領域内の対向面同士が、対向面間に介在した接着層により剥離可能に貼着されている。
【００３１】
上記接着層は、例えばホットメルト接着剤、ウレタン系接着剤、あるいはその他の接着剤等で構成することができる。また、接着層における剥離接着の強弱を調整する場合、例えば加熱圧着する際の加圧力や加熱温度、加圧時間や加熱時間にて調整する方法と、加圧用治具又は加熱用治具の加圧面形状にて調整する方法と、接着剤の配合にて調整する方法と、接着剤の塗布パターンにて調整する方法等の方法にて所望する強弱に調整することができる。
【００３２】
この発明によれば、包装体本体に封入された内容物を部材同士の剥離開封された部分からスムースに取り出すことができる。  
詳しくは、折曲げ開封包装体の折曲げ部を、包装体本体の折曲げ部を二つ折り状態に折り曲げて、部材同士における切り込みの間と対応する開封領域内の剥離可能に貼着した部分を、接着層の接着力に抗して剥離開封するとともに、切り込みを厚み方向Ｔに貫通させる。
【００３３】
封止材、及び封止材保護部は、折曲げ部に付与される引っ張り力により折曲げ方向に向けて引っ張られるため、破断、及び剥離して封止解除することができるとともに、包装体本体内に封入された内容物を、切り込みから取り出すことができる。
【００３４】
この結果、折曲げ部を二つ折り状態に折り曲げて、部材同士における切り込みの間と対応する開封領域内の剥離可能に貼着した部分を剥離開封する直前まで、封止材により封止された状態を保つことができる。
【００３５】
またこの発明の態様として、前記平坦部材における幅方向の両端部と、前記切り込みにおける幅方向の両端部との間に、該平坦部材の折り曲げを補助する折り曲げ罫線を付設することができる。
【００３６】
この発明によれば、折曲げ開封包装体を二つ折り状態により容易に折り曲げることができる。  
詳しくは、折曲げ開封包装体の折り曲げを、平坦部材に付設した折り曲げ罫線によって補助するため、二つ折り状態に折り曲げる際に付与される平坦部材の折り曲げ抵抗が小さくなる。
【００３７】
これにより、折曲げ開封包装体を二つ折り状態により容易に折り曲げることができるとともに、各部材に径伊勢された切り込みの間と対応する開封領域内の剥離可能に貼着した部分をより確実に剥離することができる。  
この結果、開封ミスが起きることを防止することができるとともに、包装体本体に封入された内容物を部材同士の剥離開封された部分からより確実に取り出すことができる。
【発明の効果】
【００３８】
この発明によれば、折曲げ部を所定の折曲げ角度以下に折り曲げるまえに、封止材による封止が解除されることを防止することができる折曲げ開封包装体、及び折曲げ開封包装体の開封構造を提供することができる。
【図面の簡単な説明】
【００３９】
【図１】封止材を保護フィルムで覆う実施例１の折曲げ開封包装体の説明図。
【図２】折曲げ開封包装体における開封構造の説明図。
【図３】封止材をシート部材に加熱圧着する際の説明図。
【図４】折曲げ開封包装体から内容物を取り出す際の説明図。
【図５】封止材を保護フィルムで覆う実施例２の折曲げ開封包装体の説明図。
【図６】封止材を保護層で覆う実施例３の折曲げ開封包装体の説明図。
【図７】封止材を保護層で覆う実施例４の折曲げ開封包装体の説明図。
【図８】折り曲げ罫線を付設した実施例５の折曲げ開封包装体の説明図。
【図９】図８に示す折曲げ開封包装体の他の例の説明図。
【図１０】開封構造を備えた実施例６の折曲げ開封包装体の説明図。
【図１１】折曲げ開封包装体から内容物を取り出す際の説明図。
【図１２】開封構造を備えた実施例７の折曲げ開封包装体の説明図。
【図１３】折曲げ開封包装体における開封構造の説明図。
【図１４】折曲げ開封包装体から内容物を取り出す際の説明図。
【図１５】所望する配置に形成した切り込みの説明図。
【発明を実施するための形態】
【００４０】
この発明の一実施形態を以下図面に基づいて詳述する。  
【００４１】
（実施例１）  
図１は開封構造を備えた実施例１の折曲げ開封包装体１０Ａの説明図であり、詳しくは、図１（ａ）は折曲げ開封包装体１０Ａを斜め上方から見た斜視図、図１（ｂ）は折曲げ開封包装体１０Ａを表面側から見た平面図である。
【００４２】
図２は折曲げ開封包装体１０Ａにおける開封構造の説明図であり、詳しくは、図２（ａ）は幅方向Ｗの中央部で分断した折曲げ開封包装体１０Ａの断面図、図２（ｂ）は（ａ）に示すａ部拡大断面図である。
【００４３】
図３は封止材４０をシート部材２０に加熱圧着する際の説明図であり、詳しくは、図３（ａ）は封止材４０をシート部材２０に加熱圧着した部分の拡大断面図、図３（ｂ）は封止材４０の周縁部４０ａをシート部材２０に食い込ませた部分の拡大断面図である。
【００４４】
図４は実施例１の折曲げ開封包装体１０Ａから内容物Ｃを取り出す際の説明図であり、詳しくは、図４（ａ）は折曲げ開封包装体１０Ａを折り曲げ始めた状態の側面図、図４（ｂ）は折曲げ開封包装体１０Ａを二つ折りした状態の側面図である。
【００４５】
なお、図１において長手方向Ｌとは、平面視略矩形を有する折曲げ開封包装体１０Ａの長手方向Ｌと一致する方向であり、幅方向Ｗ（短手方向）とは、長手方向Ｌに対して平面方向において交差する方向である。
【００４６】
実施例１の折曲げ開封包装体１０Ａは、内容物Ｃを内部に封入した容量が小さい小型の包装体本体１１が、袋状に形成された柔軟性を有する本体部１２と、本体部１２の上面側開口部を閉塞する開封構造を備えた蓋部１３とで構成されている（図１（ａ）（ｂ）参照）。
【００４７】
本体部１２は、肉厚１００μに形成された合成樹脂製のフィルム（例えば三菱樹脂株式会社製の商品名ダイアミロンＦ）で形成されている。本体部１２の内部には、１回の使用に必要な量の内容物Ｃを収容（充填）する収容部１４が形成されている（図２（ａ）（ｂ）参照）。
【００４８】
蓋部１３は、包装体本体１１の内部と対応する側（下側）に配置された平坦な合成樹脂製のシート部材２０と、シート部材２０における包装体本体１１の外部と対応する側（上側）に貼り合わせられたアルミニウム箔製の封止材４０と、封止材４０の上面に対して覆うように貼り合わせられた合成樹脂製の保護フィルム５０とで構成されている。蓋部１３（シート部材２０）の裏面側周縁部は、本体部１２の開口側周縁部に熱溶着されている（図２（ａ）（ｂ）参照）。
【００４９】
シート部材２０における長手方向Ｌの中央部には、二つ折り可能な折曲げ部１５が、シート部材２０の長手方向Ｌ（折曲げ方向Ｇと対応する方向）と直交して幅方向Ｗに形成されている（図１（ａ）（ｂ）参照）。
【００５０】
折曲げ部１５における幅方向Ｗの中央部には、図１中二点鎖線で示す開封領域１６が設定されている。開封領域１６内には、シート部材２０の折り曲げにより厚み方向Ｔに貫通可能なスリット状の切り込み２１が形成されている。切り込み２１は、シート部材２０の長手方向Ｌと交差して幅方向Ｗに形成されている（図１、図２参照）。
【００５１】
切り込み２１は、シート部材２０を厚み方向Ｔから見て、シート部材２０における長手方向Ｌの一端側（同一方向）に向けて弧状に突出する弧形状に形成されている。切り込み２１の横幅Ｗｉは、シート部材２０の横幅を基準として横幅以下（望ましくは約７０％以下）に形成されている（図１（ａ）（ｂ）参照）。  
【００５２】
なお、切り込み２１における長手方向Ｌに対向する対向縁部に、繋がった部分を複数形成してもよい。シート部材２０を折り曲げるまえに、切り込み２１の対向縁部が厚み方向Ｔに対して互い違いに変位することを防止することができる。これにより、封止材４０に切り込み２１と対応する筋目が付くなどして、封止材４０の強度が部分的に弱くなることを防止することができる。
【００５３】
シート部材２０は、肉厚０．３ｍｍに形成されたアモルファスポリエチレンテレフタレート（Ａ−ＰＥＴ）製のシート基部２０ａと、シート基部２０ａの表裏両面を覆うように貼り合わせたポリエチレン製のシール材２０ｂとで３層構造に形成されている（図２（ｂ）のａ部拡大図参照）。
【００５４】
シート基部２０ａは、０．１ｍｍ〜１．０ｍｍの範囲に含まれる肉厚、望ましくは０．２ｍｍ〜０．５ｍｍの範囲に含まれる肉厚に形成されている。シール材２０ｂは、０．０１ｍｍ〜０．５ｍｍの範囲に含まれる肉厚、望ましくは０．０３ｍｍ〜０．３ｍｍの範囲に含まれる肉厚に形成されている。
【００５５】
なお、ガスバリア性や防湿度性が必要な内容物Ｃを封入する際には、例えば蒸着加工、コーティング加工、あるいは加工を複合する等して、シート基部２０ａとシール材２０ｂの間に図示しないシール層が形成される。
【００５６】
封止材４０は、シート部材２０における折曲げ部１５に設定された開封領域１６内の上面に対して、開封領域１６内の切り込み２１を覆うように貼着されている。封止材４０は開封領域１６より一回り小さく、開封領域１６内の切り込み２１を覆う大きさ、及び形状に形成されている（図１、図２参照）。
【００５７】
開封領域１６内に貼着された封止材４０は、肉厚１１μに形成されたアルミニウム箔と、アルミニウム箔の表裏両面にコーティングされたヒートシール可能なアクリル・コポリマーで構成されている。封止材４０の裏面側には、シート部材２０の上面に対して接合するためのシール材４０ｂが貼着されている（図２、図３参照）。
【００５８】
保護フィルム５０は、開封領域１６内に貼着された封止材４０の上面に対して、封止材４０の上面を覆うように貼着されている。保護フィルム５０は開封領域１６より一回り小さく、封止材４０の上面を覆う大きさ、及び形状に形成されている（図１、図２参照）。
【００５９】
封止材４０、及び保護フィルム５０は、シート部材２０の折曲げ部１５が所定の折曲げ角度θ以下に折り曲げられた際に、破断、又は剥離することが可能な肉厚、あるいは、硬さに形成されている。（図４（ａ）（ｂ）参照）
【００６０】
保護フィルム５０の肉厚は、封止材４０と略同一の肉厚に形成されているが、シート部材２０の折り曲げにより破断、又は剥離することが可能であれば、封止材４０の肉厚より薄くするか、厚くする等してもよい。
【００６１】
封止材４０、及び保護フィルム５０は、シート部材２０における折曲げ部１５を二つ折り状態に折り曲げた際に山側となる開封領域１６内の上面に対して、開封領域１６内の切り込み２１を覆うように加熱圧着されている（図３（ａ）参照）。
【００６２】
具体的には、封止材４０が、折曲げ部１５における開封領域１６内の上面に対して切り込み２１を覆うように配置されている。保護フィルム５０が、封止材４０の上面に対して封止材４０を覆うように配置されている。
【００６３】
封止材４０、及び保護フィルム５０を上下に重ね合わせたまま、加熱圧着用の金型６０により厚み方向Ｔに加圧して、シート部材２０の折曲げ部１５に設定された開封領域１６内の上面に対して加熱圧着されている（図３（ａ）参照）。
【００６４】
アルミニウム箔製の封止材４０をシート部材２０に加熱圧着するため、シール材４０ｂ、あるいは、図示しない接着剤を介在せずとも、封止材４０をシート部材２０の上面に対して密着させた状態に加熱圧着することができる（図３（ａ）参照）。
【００６５】
加熱圧着する際の条件として、例えばシート部材２０は肉厚０．２５ｍｍのＡ−ＰＥＴ製シート、封止材４０は肉厚１５μのアルミニウム箔、加圧圧着面積は１０ｍｍ×２０ｍｍ、加熱温度は１３０℃、加圧時間は０．２秒、加圧力は１５ｋｇ（１０ｍｍ×２０ｍｍ）とする。
【００６６】
上述のように構成した折曲げ開封包装体１０Ａから内容物Ｃを取り出す際の方法について説明する。  
先ず、折曲げ開封包装体１０Ａを、包装体本体１１の蓋部１３が下向きとなる状態に保持した後、シート部材２０の折曲げ部１５を折曲げ方向Ｇに向けて二つ折り状態に折り曲げる。
【００６７】
折曲げ部１５が所定の折曲げ角度θ以下に折り曲げられた際に、折曲げ部１５の折り曲げにより切り込み２１が厚み方向Ｔに貫通されるとともに、折曲げ部１５の開封領域１６内に貼着された封止材４０が破断し、保護フィルム５０が剥離、又は破断して封止解除される（図４（ａ）（ｂ）参照）。
【００６８】
すなわち、折曲げ部１５を、シート部材２０が内側となり、本体部１２が外側となるようにして二つ折り状態に折り曲げるため、シート部材２０の厚み分だけ、内側のシート部材２０の曲率半径に比べて、封止材４０、及び保護フィルム５０の曲率半径の方が大きくなる。
【００６９】
内側のシート部材２０は折り曲げによって押し縮められるが、外側の封止材４０、及び保護フィルム５０は、折曲げ部１５に付与される引っ張り力により折曲げ方向Ｇに向けて引っ張られるため、折曲げ部１５の開封領域１６内に貼着された封止材４０を破断し、保護フィルム５０を剥離、又は破断して封止解除することができる（図４（ａ）（ｂ）参照）。
【００７０】
これにより、シート部材２０の切り込み２１が本体部１２の収容部１４と連通されるとともに、内容物Ｃの取り出しが可能な大きさ及び形状に開口される（図４（ａ）（ｂ）参照）。  
この結果、収容部１４に収容された内容物Ｃを切り込み２１からスムースに取り出すことができる。
【００７１】
しかも、封止材４０により折曲げ部１５の切り込み２１を封止した状態において、切り込み２１を封止する封止材４０を保護フィルム５０で覆っているため、輸送中や運搬中において、折曲げ開封包装体１０Ａにおける保護フィルム５０で覆われた封止材４０に、他の折曲げ開封包装体１０Ａが接触するか、擦れ合う、あるいは、当接することを防止することができる。
【００７２】
これにより、封止材４０が剥離したり、捲れたりすることを確実に防止することができるため、折曲げ部１５を所定の折曲げ角度θ以下に折り曲げて、封止材４０による封止を解除する封止解除直前まで、封止材４０により封止された状態を保つことができる。  
この結果、折曲げ部１５の折り曲げにより封止材４０の封止が解除されるまえに、収容部１４に収容された内容物Ｃが漏洩することを防止することができる。
【００７３】
さらに、折曲げ部１５を二つ折りした際に、切り込み２１の舌片部２１ａが下側斜め下方に向けて突出されるため、内容物Ｃが舌片部２１ａに接触しながら押し出される。これにより、収容部１４に収容された内容物Ｃが一挙に押し出されにくく、内容物Ｃが周囲に飛び散ることを防止できる（図４（ｂ）参照）。
【００７４】
さらにまた、封止材４０、及び保護フィルム５０のうち一方の部材が、破断、又は剥離しても、他方の部材にて封止されているため、シート部材２０の切り込み２１が本体部１２の収容部１４と連通されることがなく、封止材４０、及び保護フィルム５０の両方による封止が解除されるまで、封止された状態を保つことができる。
【００７５】
これにより、折曲げ開封包装体１０Ａを二つ折り状態に折り曲げて、封止材４０による封止を解除するまえに、本体部１２の収容部１４に封入された内容物Ｃが切り込み２１から漏洩することを確実に防止することができる。
【００７６】
以下、上述の折曲げ開封包装体１０Ａのその他の例について説明する。この説明において、前記構成と同一または同等の部位については同一の符号を記してその詳しい説明を省略する。
【００７７】
上述の実施例１では、封止材４０、及び保護フィルム５０を上下に重ね合わせたままシート部材２０に加熱圧着したが、図３（ｂ）に示すように、封止材４０の周縁部４０ａ、及び保護フィルム５０の周縁部５０ａを、加熱圧着用の金型６０によりシート部材２０の上面に対して所定の深さに食い込ませた状態に加熱圧着してもよい。
【００７８】
詳しくは、折曲げ開封包装体１０Ａにおける封止材４０の周縁部４０ａ、及び保護フィルム５０の周縁部５０ａを、シート部材２０の上面に対して所定の深さに食い込ませた状態に加熱圧着するため、シート部材２０の上面と、保護フィルム５０の周縁部５０ａに段差が生じることを防止することができる（図３（ｂ）参照）。
【００７９】
これにより、輸送中や運搬中において、折曲げ開封包装体１０Ａにおける封止材４０の周縁部４０ａや保護フィルム５０の周縁部５０ａに、他の折曲げ開封包装体１０Ａが接触するか、擦れ合う、あるいは、当接することを確実に防止することができる。
【００８０】
この結果、封止材４０、及び保護フィルム５０が剥離したり、捲れたりすることを確実に防止することができるため、上記実施例１に加えた作用、及び効果を奏することができる。  
しかも、保護フィルム５０の周縁部５０ａを指先で触っても、引っ掛かり感がなく、折り曲げる際に良好な手触り感が得られるとともに、滑らかでスッキリした面となるため、外観的な意匠性が向上する。
【００８１】
また、保護フィルム５０の周縁部５０ａを、シート部材２０の上面に対して略同一高さとなるように加熱圧着してもよい。シート部材２０の上面と、保護フィルム５０の周縁部５０ａに段差が生じることを防止することができるとともに、シート部材２０、及び保護フィルム５０の上面を連続させることができる。
【００８２】
（実施例２）  
上述の実施例１では、保護フィルム５０を封止材４０の上面を覆うように貼着した例について説明したが、図５に示すように、保護フィルム５０を、封止材４０を含むシート部材２０の上面を覆うように貼着した実施例２の折曲げ開封包装体１０Ａについて説明する。
【００８３】
図５は封止材４０を含むシート部材２０の上面を保護フィルム５０で覆った実施例２の折曲げ開封包装体１０Ａの説明図であり、詳しくは、図５（ａ）は斜め上方から見た折曲げ開封包装体１０Ａの斜視図、図５（ｂ）は上面側から見た折曲げ開封包装体１０Ａの平面図である。
【００８４】
実施例２の折曲げ開封包装体１０Ａは、保護フィルム５０を、シート部材２０における折曲げ部１５の開封領域１６内に貼着された封止材４０の上面に対して、封止材４０を含むシート部材２０の略上面全体を覆うように貼着している。
【００８５】
保護フィルム５０は、封止材４０より大きく、封止材４０を含むシート部材２０の上面が覆われる大きさ、及び形状に形成されている。具体的には、シート部材２０より一回り小さく、封止材４０の周縁部４０ａより外側で、シート部材２０の周縁部より内側の上面が覆われる大きさ、及び形状に形成されている。
【００８６】
すなわち、封止材４０を含むシート部材２０の上面を保護フィルム５０で覆っているため、輸送中や運搬中において、折曲げ開封包装体１０Ａにおける保護フィルム５０で覆われた封止材４０の周縁部４０ａに、他の折曲げ開封包装体１０Ａが接触するか、擦れ合う、あるいは、当接することをより確実に防止することができる（図５（ａ）（ｂ）参照）。  
これにより、封止材４０が剥離したり、捲れたりすることをより確実に防止することができるため、上記実施例１に加えた実施例２の作用、及び効果を奏することができる。
【００８７】
（実施例３）  
上述の実施例１〜２では、保護フィルム５０を封止材４０の上面を覆うように貼着した例について説明したが、図６に示すように、保護層５１を封止材４０の上面を覆うように形成した実施例３の折曲げ開封包装体１０Ａについて説明する。
【００８８】
図６は封止材４０の上面を保護層５１で覆った実施例３の折曲げ開封包装体１０Ａの説明図であり、詳しくは、図６（ａ）は斜め上方から見た折曲げ開封包装体１０Ａの斜視図、図６（ｂ）は幅方向Ｗの中央部で分断した折曲げ開封包装体１０Ａの断面図である。
【００８９】
実施例３の折曲げ開封包装体１０Ａは、合成樹脂製の保護層５１を封止材４０の上面を覆うように形成しているため、輸送中や運搬中において、折曲げ開封包装体１０Ａにおける保護層５１で覆われた封止材４０に、他の折曲げ開封包装体１０Ａが接触するか、擦れ合う、あるいは、当接することを確実に防止することができる（図６（ａ）（ｂ）参照）。
【００９０】
これにより、封止材４０が剥離したり、捲れたりすることを確実に防止することができるとともに、封止材４０の上面が歪であっても、保護層５１を封止材４０の上面に対して密着させた状態に形成することができるため、上記実施例１に加えた実施例３の作用、及び効果を奏することができる。
【００９１】
（実施例４）  
上述の実施例３では、保護層５１を封止材４０の上面を覆うように形成した例について説明したが、図７に示すように、保護層５１を、封止材４０を含むシート部材２０の上面を覆うように形成した実施例４の折曲げ開封包装体１０Ａについて説明する。
【００９２】
図７は封止材４０を含むシート部材２０の上面を保護層５１で覆った実施例４の折曲げ開封包装体１０Ａの説明図であり、詳しくは、図７（ａ）は斜め上方から見た折曲げ開封包装体１０Ａの斜視図、図７（ｂ）は幅方向Ｗの中央部で分断した折曲げ開封包装体１０Ａの断面図である。
【００９３】
実施例４の折曲げ開封包装体１０Ａは、保護層５１を、シート部材２０における折曲げ部１５の開封領域１６内に貼着された封止材４０の上面に対して、封止材４０を含むシート部材２０の略上面全体を覆うように形成している。
【００９４】
保護層５１は、封止材４０より大きく、封止材４０を含むシート部材２０の上面が覆われる大きさ、及び形状に形成されている。具体的には、シート部材２０より一回り小さく、封止材４０の周縁部４０ａより外側で、シート部材２０の周縁部より内側の上面が覆われる大きさ、及び形状に形成されている。
【００９５】
すなわち、封止材４０を含むシート部材２０の上面を保護層５１で覆っているため、輸送中や運搬中において、折曲げ開封包装体１０Ａにおける保護層５１で覆われた封止材４０に、他の折曲げ開封包装体１０Ａが接触するか、擦れ合う、あるいは、当接することをより確実に防止することができる（図７（ａ）（ｂ）参照）。
【００９６】
これにより、封止材４０が剥離したり、捲れたりすることをより確実に防止することができるとともに、シート部材２０の上面と封止材４０の周縁部４０ａに段差が生じるか、あるいは、封止材４０の上面が歪であっても、保護層５１を、封止材４０を含むシート部材２０の上面に対してより密着させた状態に形成することができるため、上記実施例２，３に加えた実施例４の作用、及び効果を奏することができる。
【００９７】
（実施例５）  
上述の実施例１〜４では、折曲げ開封包装体１０Ａを折曲げ部１５に沿って二つ折りする例について説明したが、図８に示すように、折り曲げを補助する直線形状の折り曲げ罫線２５を付設した実施例５の折曲げ開封包装体１０Ａについて説明する。
【００９８】
図８は折り曲げ罫線２５を付設した実施例５の折曲げ開封包装体１０Ａの説明図であり、詳しくは、図８（ａ）は斜め上方から見た折曲げ開封包装体１０Ａの斜視図、図８（ｂ）は上面側から見た折曲げ開封包装体１０Ａの平面図である。
【００９９】
上述の折り曲げ罫線２５は、シート部材２０における幅方向Ｗの両端部と、切り込み２１における幅方向Ｗの両端部との間に、シート部材２０の長手方向Ｌと直交して幅方向Ｗに付設されている。折り曲げ罫線２５の底部には、図示しない底部に形成した凸状部と、凸状部よりも低い凹状部とが軸線方向に配列されている。
【０１００】
実施例５の折曲げ開封包装体１０Ａを二つ折りする際に、シート部材２０の折り曲げを折り曲げ罫線２５によって補助するため、シート部材２０を二つ折り状態に折り曲げる際に付与される折り曲げ抵抗が小さくなる。
【０１０１】
これにより、折曲げ開封包装体１０Ａを二つ折り状態により正確かつ容易に折り曲げることができるとともに、シート部材２０の切り込み２１を厚み方向Ｔに貫通させることができる。  
さらに、封止材４０、及び保護フィルム５０をより確実に、破断、及び剥離して封止解除することができるため、実施例１に加えた実施例５の作用、及び効果を奏することができる。
【０１０２】
また、図９に示すように、折り曲げ罫線２５を長手方向Ｌ及び幅方向Ｗと交差して斜めに付設してもよい。  
図９は図８に示す折曲げ開封包装体１０Ａの他の例の説明図であり、詳しくは、図９（ａ）は斜め上方から見た折曲げ開封包装体１０Ａの斜視図、図９（ｂ）は上面側から見た折曲げ開封包装体１０Ａの平面図である。
【０１０３】
上述の折り曲げ罫線２５は、シート部材２０における幅方向Ｗの両端部と、切り込み２１における幅方向Ｗの両端部との間に、シート部材２０の長手方向Ｌ及び幅方向Ｗと交差して斜めに所定角度に傾斜して付設されている。
【０１０４】
折曲げ開封包装体１０Ａを二つ折りする際に、シート部材２０の折り曲げを折り曲げ罫線２５によって補助するため、シート部材２０を二つ折り状態に折り曲げる際に付与される折り曲げ抵抗が小さくなる。
【０１０５】
これにより、折曲げ開封包装体１０Ａをより正確かつ容易に折り曲げることができるとともに、折曲げ部１５が反り返るように変形するため、シート部材２０の切り込み２１を厚み方向Ｔに貫通させることができる。
【０１０６】
さらに、封止材４０、及び保護フィルム５０をより確実に、破断、及び剥離して封止解除することができるため、上記実施例１に加えた作用、及び効果を奏することができる。  
なお、上記実施例５の折り曲げ罫線２５を、実施例２〜４の折曲げ開封包装体１０Ａに付設してもよい。また、折り曲げ罫線２５を、例えば弧状や波状等の滑らかな曲線形状に付設してもよい。
【０１０７】
（実施例６）  
上述の実施例１〜５では、封止材４０をシート部材２０に貼り合わせた折曲げ開封包装体１０Ａについて説明したが、図１０、図１１に示すように、封止材４０をフィルム部材３０に貼り合わせた実施例６の折曲げ開封包装体１０Ｂについて説明する。
【０１０８】
図１０は開封構造を備えた実施例６の折曲げ開封包装体１０Ｂの説明図であり、詳しくは、図１０（ａ）は斜め上方から見た折曲げ開封包装体１０Ｂの斜視図、図１０（ｂ）は上面側から見た折曲げ開封包装体１０Ｂの平面図である。
【０１０９】
図１１は折曲げ開封包装体１０Ｂから内容物Ｃを取り出す際の説明図であり、詳しくは、図１１（ａ）は幅方向Ｗの中央部で分断した折曲げ開封包装体１０Ｂの断面図、図１１（ｂ）は二つ折り状態に折り曲げ途中の折曲げ開封包装体１０Ｂの側面図である。
【０１１０】
実施例６の折曲げ開封包装体１０Ｂは、内容物Ｃを内部に封入した柔軟性を有する包装体本体１１が、一対のフィルム部材３０のうち一方の略平坦なフィルム部材３０におけるシート部材２０が貼り合わされた面を内側にして、フィルム部材３０同士におけるシート部材２０より外側の周縁部を熱溶着して構成されている（図１０、図１１参照）。
【０１１１】
シート部材２０が貼り合わされたフィルム部材３０における長手方向Ｌの中央部には、二つ折り可能な折曲げ部１５が形成されている。折曲げ部１５における幅方向Ｗの中央部に設定された開封領域１６内には、部材２０，３０の厚み方向Ｔに対して貫通可能な切り込み２１，３１が形成されている（図１０、図１１参照）。
【０１１２】
シート部材２０における折曲げ部１５と対応する幅方向Ｗの両端部には、幅方向Ｗの両端部から中央部に向けて凹状に窪んだ窪み部２４を形成している。封止材４０の上面には、合成樹脂製の保護フィルム５０が、封止材４０の上面を覆うように貼着されている（図１０、図１１参照）。
【０１１３】
実施例６の折曲げ開封包装体１０Ｂから内容物Ｃを取り出す場合、折曲げ開封包装体１０Ｂの折曲げ部１５を二つ折り状態に折り曲げて、部材２０，３０の切り込み２１，３１を厚み方向Ｔに貫通させるとともに、封止材４０を破断し、保護フィルム５０を剥離、又は破断して封止解除する（図１１参照）。  
これにより、収容部１４に収容された内容物Ｃを、切り込み３１の舌片部３２１ａに接触させながら、切り込み２１，３１からスムースに取り出すことができる。
【０１１４】
封止材４０により折曲げ部１５の切り込み２１を封止した状態において、切り込み２１を封止する封止材４０を保護フィルム５０で覆っているため、保護フィルム５０で覆われた封止材４０に、他の折曲げ開封包装体１０Ａが接触するか、擦れ合う、あるいは、当接することを防止することができる。
【０１１５】
これにより、封止材４０が剥離したり、捲れたりすることを確実に防止することができるとともに、折曲げ部１５を所定の折曲げ角度θ以下に折り曲げて、封止材４０による封止を解除する封止解除直前まで、封止材４０により封止された状態を保つことができる。
【０１１６】
さらに、シート部材２０における折曲げ部１５の横幅を、窪み部２４の分だけ他の部分よりも幅狭に形成しているため、折曲げ部１５の剛性が他の部分に比べて弱く、折曲げ開封包装体１０Ｂを二つ折り状態に容易に折り曲げることができるため、上記実施例１に加えた実施例６の作用、及び効果を奏することができる。
【０１１７】
なお、実施例６における封止材４０の上面を保護層５１で覆うか、あるいは、封止材４０を含む一方のフィルム部材３０の上面を保護フィルム５０、又は保護層５１で覆ってもよく、上記実施例１〜４に加えた実施例６の作用、及び効果を奏することができる。  
また、包装体本体１１を、長尺に形成された１枚のフィルム部材３０を二つ折り状態に折り畳んで形成することもできる。
【０１１８】
（実施例７）  
上記実施例６では、シート部材２０の折り曲げにより、シート部材２０の切り込み２１とフィルム部材３０の切り込み３１を厚み方向Ｔに貫通させて開封する例について説明したが、図１２、図１３、図１４に示すように、部材２０，３０における切り込み２１，３１の間と対応する部分を剥離して封止解除する実施例７の折曲げ開封包装体１０Ａについて説明する。
【０１１９】
図１２は開封構造を備えた実施例７の折曲げ開封包装体１０Ａの説明図であり、詳しくは、図１２（ａ）は斜め上方から見た折曲げ開封包装体１０Ａの斜視図、図１２（ｂ）は上面側から見た折曲げ開封包装体１０Ａの平面図である。
【０１２０】
図１３は折曲げ開封包装体１０Ａにおける開封構造の説明図であり、詳しくは、図１３（ａ）は幅方向Ｗの中央部で分断した折曲げ開封包装体１０Ａの断面図、図１３（ｂ）は（ａ）に示すｂ部拡大断面図である。
【０１２１】
図１４は折曲げ開封包装体１０Ａから内容物Ｃを取り出す際の説明図であり、詳しくは、図１４（ａ）は折曲げ開封包装体１０Ａを二つ折りした状態の正面図、図１４（ｂ）は折曲げ開封包装体１０Ａから内容物Ｃを取り出す際の部分拡大断面図である。
【０１２２】
実施例７の折曲げ開封包装体１０Ａは、シート部材２０、及びフィルム部材３０における折曲げ部１５の開封領域１６内に、厚み方向Ｔに対して貫通可能な切り込み２１，３１が、長手方向Ｌに対して所定間隔Ｓを隔てて配置されている。所定間隔Ｓは、シート部材２０における肉厚の約０倍〜約１００倍（望ましくは約１０倍）の範囲に含まれる間隔に設定されている（図１２、図１３参照）。
【０１２３】
部材２０，３０における切り込み２１，３１の間と対応する開封領域１６内の対向面同士は、対向面間に介在した再剥離可能な粘着力を有する接着層Ｎ１にて再剥離可能に貼着されている。開封領域１６より外側の部材２０，３０の対向面同士は、対向面間に介在した再剥離不可能な接着力を有する接着層Ｎ２にて剥離不可能に接着されている（図１３（ｂ）のｂ部拡大図参照）。
【０１２４】
シート部材２０における折曲げ部１５に設定された開封領域１６内の上面には、封止材４０が開封領域１６内の切り込み２１を覆うように貼着されている。封止材４０の上面には、保護フィルム５０が封止材４０の上面を覆うように貼着されている（図１２、図１３参照）。
【０１２５】
実施例７の折曲げ開封包装体１０Ａから内容物Ｃを取り出す場合、包装体本体１１の折曲げ部１５を二つ折り状態に折り曲げて、部材２０，３０における切り込み２１，３１の間と対応する開封領域１６内の剥離可能に貼着した部分を、接着層Ｎ１の接着力に抗して剥離開封するとともに、切り込み２１，３１を厚み方向Ｔに貫通させる（図１４（ａ）（ｂ）参照）。
【０１２６】
封止材４０、及び保護フィルム５０は、折曲げ部１５に付与される引っ張り力により折曲げ方向Ｇに向けて引っ張られるため、破断、及び剥離して封止解除することができるとともに、収容部１４に収容された内容物Ｃを、切り込み２１，３１の舌片部２１ａ，３２１ａに接触させながら取り出すことができる（図１４（ａ）（ｂ）参照）。
【０１２７】
封止材４０により折曲げ部１５の切り込み２１を封止した状態において、切り込み２１を封止する封止材４０を保護フィルム５０で覆っているため、保護フィルム５０で覆われた封止材４０に、他の折曲げ開封包装体１０Ａが接触するか、擦れ合う、あるいは、当接することを防止することができる。
【０１２８】
これにより、封止材４０が剥離したり、捲れたりすることを確実に防止することができるとともに、折曲げ部１５を二つ折り状態に折り曲げて、封止材４０による封止を解除する封止解除直前まで、封止材４０により封止された状態を保つことができるため、上記実施例１に加えた実施例７の作用、及び効果を奏することができる。
【０１２９】
なお、実施例７における封止材４０の上面を保護層５１で覆うか、あるいは、封止材４０を含むシート部材２０の上面を保護フィルム５０、又は保護層５１で覆ってもよく、上記実施例１〜４に加えた実施例７の作用、及び効果を奏することができる。また、同一形状の切り込み２１，３１が上下に配置されていても、切り込み２１，３１を覆う封止材４０を保護フィルム５０、又は保護層５１で保護することができる。
【０１３０】
上述の実施例１〜７では、弧形状の切り込み２１，３１を保護フィルム５０、又は保護層５１で覆った例について説明したが、図１５に示すように配置された切り込み２１，３１を保護フィルム５０で覆ってもよい。  
図１５は切り込み２１，３１を保護フィルム５０で覆った説明図である。
【０１３１】
詳しくは、保護フィルム５０で覆われた切り込み２１，３１が、図１５（ａ）に示す平面視略×字状に配置するか、図１５（ｂ）に示す平面視略Ｈ字状に配置するか、図１５（ｃ）に示す平面視略卍字状に配置されている。
【０１３２】
折曲げ部１５を二つ折り状態に折り曲げた際に、開封領域１６内の切り込み２１，３１が厚み方向Ｔに貫通されるとともに、図１５に示す配置に対応して切り込み２１，３１が複数に分割された状態に開封される。
【０１３３】
つまり、内容物Ｃを、切り込み２１，３１によって複数に分割された部分（例えば辺部や縁部等）に接触させながら押し出すため、図４（ｂ）に示す１つの舌片部２１ａに接触させるよりも、接触する部分が多く、内容物Ｃが一挙に押し出されることをより確実に防止することができる。  
なお、上述の保護フィルム５０の代わりに、所望する配置に形成された切り込み２１，３１を保護層５１で覆ってもよい。
【０１３４】
この発明の構成と、前記実施形態との対応において、  
この発明の折曲げ開封包装体は、実施形態の折曲げ開封包装体１０Ａ，１０Ｂに対応し、  
以下同様に、  
平坦部材は、シート部材２０、フィルム部材３０に対応し、  
封止材保護部は、保護フィルム５０、保護層５１に対応するも、  
この発明は、上述の実施形態の構成のみに限定されるものではなく、請求項に示される技術思想に基づいて応用することができ、多くの実施の形態を得ることができる。
【０１３５】
上述の実施例１〜７では、開封構造を容量が小さい小型の容器である折曲げ開封包装体１０Ａ，１０Ｂに設けたが、例えば容量が大きい大型の容器である袋状の包装体に設けてもよい。具体的には包装体の一側上部や中央上部に設けるか、あるいは、包装体の外側に向けて突出された突出部に設けてもよい。
【０１３６】
上記実施例２，４では、封止材４０の上面を、封止材４０より大きい保護フィルム５０、あるいは、保護層５１で覆った例について説明したが、封止材４０の上面が覆われる大きさであれば、シート部材２０の上面全体を保護フィルム５０、あるいは、保護層５１で覆ってもよい。
【０１３７】
実施例１〜７では、封止材４０を、折曲げ部１５の開封領域１６内に貼着しているが、切り込み２１，３１を覆うことが可能であれば、封止材４０を含むシート部材２０の上面を覆うように貼着してもよい。
【０１３８】
また、切り込み２１，３１を弧状に形成しているが、例えば直線形状、波形状、二山形状、台形状、門形状、Ｍ字形状、Ｖ字形状等の所望する形状に形成してもよく、実施例１〜７の形状のみに限定されるものではない。
【符号の説明】
【０１３９】
Ｇ…折曲げ方向
Ｌ…長手方向
Ｗ…幅方向
Ｔ…厚み方向
Ｃ…内容物
Ｎ１，Ｎ２…接着層
１０Ａ，１０Ｂ…折曲げ開封包装体
１１…包装体本体
１２…本体部
１３…蓋部
１４…収容部
１５…折曲げ部
１６…開封領域
２０…シート部材
３０…フィルム部材
２１，３１…切り込み
２４…窪み部
２５…折り曲げ罫線
４０…封止材
５０…保護フィルム
５１…封止層
【図１】
0006569943.tif 000002
【図２】
0006569943.tif 000003
【図３】
0006569943.tif 000004
【図４】
0006569943.tif 000005
【図５】
0006569943.tif 000006
【図６】
0006569943.tif 000007
【図７】
0006569943.tif 000008
【図８】
0006569943.tif 000009
【図９】
0006569943.tif 000010
【図１０】
0006569943.tif 000011
【図１１】
0006569943.tif 000012
【図１２】
0006569943.tif 000013
【図１３】
0006569943.tif 000014
【図１４】
0006569943.tif 000015
【図１５】
0006569943.tif 000016